(57)【特許請求の範囲】
【請求項１】
一対の基板間に電気泳動粒子を含んだ電気泳動素子を挟持し、複数の画素からなる表示部を有する電気泳動表示装置の駆動方法であって、
前記電気泳動素子は、少なくとも第１の色の前記電気泳動粒子と、第２の色の前記電気泳動粒子とを含んでおり、
前記表示部の画像を消去する画像消去ステップが、
前記表示部において互いに隣接し、それぞれ１又は複数の前記画素からなる第１の領域及び第２の領域のうち、前記第１の領域の前記画素に前記第１の色に対応する第１の階調を表示する一方、前記第２の領域の前記画素に前記第２の色に対応する第２の階調を表示する第１の消去ステップと、
前記第１の領域の前記画素に前記第２の階調を表示する一方、前記第２の領域の前記画素に前記第１の階調を表示する第２の消去ステップと、
を有することを特徴とする電気泳動表示装置の駆動方法。
【請求項２】
請求項１に記載の電気泳動表示装置の駆動方法であって、
前記第１の消去ステップと、前記第２の消去ステップとを交互に複数回行うことを特徴とする電気泳動表示装置の駆動方法。
【請求項３】
請求項１又は請求項２に記載の電気泳動表示装置の駆動方法であって、
前記表示部に、互いに交差して延びる複数の走査線と複数のデータ線とが形成され、前記走査線と前記データ線との交差部に対応して前記画素が形成されており、
前記第１の領域と前記第２の領域とが、前記データ線の延在方向及び前記走査線の延在方向に沿って格子状に配列された領域であることを特徴とする電気泳動表示装置の駆動方法。
【請求項４】
請求項３に記載の電気泳動表示装置の駆動方法であって、
前記第１の領域及び前記第２の領域が、１つの前記画素からなる領域であることを特徴とする電気泳動表示装置の駆動方法。
【請求項５】
請求項１又は請求項２に記載の電気泳動表示装置の駆動方法であって、
前記表示部に、互いに交差して延びる複数の走査線と複数のデータ線とが形成され、前記走査線と前記データ線との交差部に対応して前記画素が形成されており、
複数の前記第１の領域と複数の前記第２の領域とを前記データ線の延在方向に沿った帯状の領域として設定することを特徴とする電気泳動表示装置の駆動方法。
【請求項６】
請求項１又は請求項２に記載の電気泳動表示装置の駆動方法であって、
前記表示部に、互いに交差して延びる複数の走査線と複数のデータ線とが形成され、前記走査線と前記データ線との交差部に対応して前記画素が形成されており、
複数の前記第１の領域と複数の前記第２の領域とを前記走査線の延在方向に沿った帯状の領域として設定することを特徴とする電気泳動表示装置の駆動方法。
【請求項７】
請求項１から請求項６の何れか１項に記載の電気泳動表示装置の駆動方法であって、
前記一対の基板における一方の基板には、複数の画素電極が設けられ、
他方の基板には、前記電気泳動素子を介して前記複数の画素電極と対向する共通電極が設けられ、
前記画像消去ステップと前記表示部に画像を表示させる画像書き込みステップとにおいて、前記画素電極に第１の電位又は第２の電位を入力し、前記共通電極に前記第１の電位の期間と前記第２の電位の期間とを交互に繰り返す信号を入力することを特徴とする電気泳動表示装置の駆動方法。
【請求項８】
請求項７に記載の電気泳動表示装置の駆動方法であって、
前記第１の消去ステップの期間と前記第２の消去ステップの期間とが、前記表示部に画像を表示する画像書き込みステップにおいて前記共通電極に入力される前記信号の前記第１の電位の期間及び前記第２の電位の期間より短いことを特徴とする電気泳動表示装置の駆動方法。
【請求項９】
一対の基板間に電気泳動粒子を含んだ電気泳動素子を挟持し、複数の画素からなる表示部と、前記複数の画素を制御する制御部とを備えた電気泳動表示装置であって、
前記電気泳動素子は、少なくとも第１の色の前記電気泳動粒子と、第２の色の前記電気泳動粒子とを含んでおり、
前記制御部は、前記表示部の画像を消去する画像消去動作において、
前記表示部において互いに隣接し、それぞれ１又は複数の前記画素からなる第１の領域及び第２の領域のうち、
前記第１の領域の前記画素に前記第１の色に対応する第１の階調を表示する一方、前記第２の領域の前記画素に前記第２の色に対応する第２の階調を表示する第１の消去動作と、
前記第１の領域の前記画素に前記第２の階調を表示する一方、前記第２の領域の前記画素に前記第１の階調を表示する第２の消去動作と、
を実行することを特徴とする電気泳動表示装置。
【請求項１０】
請求項９に記載の電気泳動表示装置であって、
前記制御部は、前記第１の消去動作と、前記第２の消去動作とを交互に複数回行うことを特徴とする電気泳動表示装置。
【請求項１１】
請求項９又は請求項１０に記載の電気泳動表示装置であって、
前記表示部に、互いに交差して延びる複数の走査線と複数のデータ線とが形成され、前記走査線と前記データ線との交差部に対応して前記画素が形成されており、
前記制御部は、第１の領域と第２の領域とを、前記データ線の延在方向及び前記走査線の延在方向に沿って格子状に配列された領域として設定することを特徴とする電気泳動表示装置。
【請求項１２】
請求項１１に記載の電気泳動表示装置であって、
前記制御部は、前記第１の領域及び前記第２の領域を、１つの前記画素からなる領域として設定することを特徴とする電気泳動表示装置。
【請求項１３】
請求項９又は請求項１０に記載の電気泳動表示装置であって、
前記表示部に、互いに交差して延びる複数の走査線と複数のデータ線とが形成され、前記走査線と前記データ線との交差部に対応して前記画素が形成されており、
前記制御部は、複数の前記第１の領域と複数の前記第２の領域とを前記データ線の延在方向に沿った帯状の領域として設定することを特徴とする電気泳動表示装置。
【請求項１４】
請求項９又は請求項１０に記載の電気泳動表示装置であって、
前記表示部に、互いに交差して延びる複数の走査線と複数のデータ線とが形成され、前記走査線と前記データ線との交差部に対応して前記画素が形成されており、
前記制御部は、複数の前記第１の領域と複数の前記第２の領域とを前記走査線の延在方向に沿った帯状の領域として設定することを特徴とする電気泳動表示装置。
【請求項１５】
請求項９から請求項１４の何れか１項に記載の電気泳動表示装置であって、
前記一対の基板における一方の基板には、複数の画素電極が設けられ、
他方の基板には、前記電気泳動素子を介して前記複数の画素電極と対向する共通電極が設けられ、
前記制御部は、前記画像消去動作と前記表示部に画像を表示させる画像書き込み動作とにおいて、前記画素電極に第１の電位又は第２の電位を入力し、前記共通電極に前記第１の電位の期間と前記第２の電位の期間とを交互に繰り返す信号を入力することを特徴とする電気泳動表示装置。
【請求項１６】
請求項１５に記載の電気泳動表示装置であって、
前記第１の消去動作の期間と前記第２の消去動作の期間とが、前記表示部に画像を表示する画像書き込み動作において前記共通電極に入力される前記信号の前記第１の電位の期間及び前記第２の電位の期間より短いことを特徴とする電気泳動表示装置
【請求項１７】
請求項９から請求項１６の何れか１項に記載の電気泳動表示装置を備えたことを特徴とする電子機器。
【発明の詳細な説明】
【技術分野】
【０００１】
本発明は、電気泳動表示装置、電気泳動表示装置の駆動方法、及び電子機器に関する。
【背景技術】
【０００２】
アクティブマトリクス方式により駆動される電気泳動表示装置では、画素ごとに駆動用スイッチング素子とメモリ回路が配置された回路構成が公知である。（例えば、特許文献１を参照）
【０００３】
このような構成を備えた電気泳動表示装置においては、表示を書き換えるときに、表示部の全面を白表示することで画像を消去した後、新しい画像を表示する駆動方法が一般的であった。
【特許文献１】特開２００２−１４９１１５号公報
【発明の開示】
【発明が解決しようとする課題】
【０００４】
ところが、このような駆動方法で画像を消去すると残像が残ってしまう。図１５は、画像消去時における残像の発生を示す図である。図１５（ａ）は、表示部１０３０の上半分の表示部１０３１が黒表示され、下半分の表示部１０３２が白表示された状態を示している。このような画像が表示された表示部１０３０の全面を白表示によって消去した場合、表示部１０３１に黒表示が残像として残ってしまうという問題があった。
【０００５】
これは、電気泳動表示装置が表示の履歴を引きずってしまうという特徴に起因したものであり、白表示を行っただけでは、画像を形成する白色粒子（電気泳動粒子）と、黒色粒子（電気泳動粒子）とを十分に撹拌することができないからである。
【０００６】
このため、このような残像をなくすために、次に説明するような白表示と黒表示とを繰り返して行う駆動方法が提案されている。
図１６は、画像消去時における表示部１１３０の画像パターンを示す図である。図１６では、表示部１１３０を上半分の１１３１、下半分の１１３２に分けている。図１６（ａ）は図１５（ａ）に対応する図であり、表示部１１３１が黒表示、及び表示部１１３２が白表示されている。図１６（ｂ）から図１６（ｇ）は、表示部１１３０全面に黒表示と白表示とを繰り返して画像消去を行う様子を示す図である。
【０００７】
図１７は、画像消去時における白色粒子（電気泳動粒子）１１８２、黒色粒子（電気泳動粒子）１１８３の運動態様を説明する図である。図１７（ａ）、（ｂ）は、図１６（ａ）〜図１６（ｃ）に対応している。表示部１１３１、１１３２は複数の画素が集まって形成された領域である。なお、ここでは、白色粒子１１８２が負に帯電し、黒色粒子１１８３が正に帯電しており、共通電極１１２２側が画像の表示面であるものとする。
前述したように、図１６（ａ）では、表示部１１３１が黒表示、表示部１１３２が白表示されている。この状態で、図１７（ａ）中段に示すように、表示部１１３１側の画素電極１１２１Ａ、及び表示部１１３２側の画素電極１１２１Ｂに高電位（Ｈ）を入力し、共通電極１１２２に低電位（Ｌ）を入力する。このとき、表示部１１３１は黒表示されているので、白色粒子１１８２、黒色粒子１１８３は移動しない。
一方、表示部１１３２では、黒色粒子１１８３が共通電極１１２２側に集まり（図１７（ａ）下段）、白色粒子１１８２が画素電極１１２１Ｂ側に集まるので、表示部１１３２も黒表示される（図１６（ｂ））。
【０００８】
次に、図１７（ｂ）中段に示すように、画素電極１１２１Ａ、１１２１Ｂに低電位（Ｌ）を入力し、共通電極１１２２に高電位（Ｈ）を入力すると、図１７（ｂ）下段に示すように、白色粒子１１８２が共通電極１１２２側に集まり、黒色粒子１１８３が画素電極１１２１Ａ、１１２１Ｂ側に集まる。
しかし、電気泳動表示装置は、上述したように表示の履歴を引きずるという特性を有しているため、図１６（ｃ）における表示部１１３１の白表示と表示部１１３２の白表示とを比較すると、最初に黒表示されていた表示部１１３１の白表示の方が黒っぽくなり、この違いが残像となって現れる。その後、さらに黒表示（図１６（ｄ））と白表示（図１６（ｅ））とを行った後の図１６（ｅ）における表示部１１３１の白表示と表示部１１３２の白表示とを比較すると、最初に黒表示されていた表示部１１３１の白表示の方がわずかに黒っぽい。さらに、消去動作を行った後の図１６（ｇ）における表示部１１３１の白表示と表示部１１３２の白表示とを比較すると、表示部１１３１、１１３２の白表示に違いはほとんどなく残像が改善されている。
【０００９】
このような駆動方法により、残像の生じない画像消去を行うことが可能であるが、図１６に示すように、消去動作中に白表示と黒表示とが交互に連続表示されるため、使用者には画面が点滅して見えてしまう（フラッシング）という問題があった。そして、このようなフラッシングは、使用者に対して視覚的なストレスを与えてしまうので、電子ペーパーの普及を妨げている一因となっていた。
【００１０】
本発明は、上記の問題点に鑑みなされたものであって、表示書き替え時のフラッシングを低減した電気泳動表示装置の駆動方法、電気泳動表示装置、及び電子機器を提供することを目的の１つとする。また、残像をなくし表示品質を向上した電気泳動表示装置の駆動方法、電気泳動表示装置、及び電子機器を提供することを目的の１つとする。
【課題を解決するための手段】
【００１１】
本発明に係る電気泳動表示装置の駆動方法、電気泳動表示装置、及び電子機器は、以下の特徴を備えている。
一対の基板間に電気泳動粒子を含んだ電気泳動素子を挟持し、複数の画素からなる表示部を有する電気泳動表示装置の駆動方法であって、前記電気泳動素子は、少なくとも第１の色の前記電気泳動粒子と、第２の色の前記電気泳動粒子とを含んでおり、前記表示部の画像を消去する画像消去ステップが、前記表示部において互いに隣接し、それぞれ１又は複数の前記画素からなる第１の領域及び第２の領域のうち、前記第１の領域の前記画素に前記第１の色に対応する第１の階調を表示する一方、前記第２の領域の前記画素に前記第２の色に対応する第２の階調を表示する第１の消去ステップと、前記第１の領域の前記画素に前記第２の階調を表示する一方、前記第２の領域の前記画素に前記第１の階調を表示する第２の消去ステップと、を有することを特徴とする電気泳動表示装置の駆動方法。
一対の基板間に電気泳動粒子を含んだ電気泳動素子を挟持し、複数の画素からなる表示部と、前記複数の画素を制御する制御部とを備えた電気泳動表示装置であって、前記電気泳動素子は、少なくとも第１の色の前記電気泳動粒子と、第２の色の前記電気泳動粒子とを含んでおり、前記制御部は、前記表示部の画像を消去する画像消去動作において、前記表示部において互いに隣接し、それぞれ１又は複数の前記画素からなる第１の領域及び第２の領域のうち、前記第１の領域の前記画素に前記第１の色に対応する第１の階調を表示する一方、前記第２の領域の前記画素に前記第２の色に対応する第２の階調を表示する第１の消去動作と、前記第１の領域の前記画素に前記第２の階調を表示する一方、前記第２の領域の前記画素に前記第１の階調を表示する第２の消去動作と、を実行することを特徴とする電気泳動表示装置。
【００１２】
本発明の電気泳動表示装置の駆動方法は、一対の基板間に電気泳動粒子を含んだ電気泳動素子を挟持し、複数の画素からなる表示部を有する電気泳動表示装置の駆動方法であって、前記表示部の画像を消去する画像消去ステップが、前記表示部において互いに隣接し、それぞれ１又は複数の前記画素からなる第１の領域及び第２の領域のうち、前記第１の領域の前記画素に第１の階調を表示する一方、前記第２の領域の前記画素に第２の階調を表示する第１の消去ステップと、前記第１の領域の前記画素に前記第２の階調を表示する一方、前記第２の領域の前記画素に前記第１の階調を表示する第２の消去ステップと、を有することを特徴とする。
このようにすれば、前記表示部のうち一部の前記画素からなる前記第１の領域と前記第２の領域とに対して交互に異なる階調を表示して消去動作を行うので、前記第１の消去ステップと前記第２の消去ステップとを交互に繰り返しても、隣接する前記第１の領域及び前記第２の領域の前記階調が混色した色が表示される。したがって、画像書き替え時のフラッシングを低減した電気泳動表示装置の駆動方法とすることができる。
【００１３】
前記第１の消去ステップと、前記第２の消去ステップとを交互に複数回行うことが好ましい。
これにより、フラッシングの発生を抑制しつつ、前記電気泳動粒子を十分に撹拌できるので、残像をなくし表示品質を向上した電気泳動表示装置の駆動方法とすることができる。
【００１４】
前記表示部に、互いに交差して延びる複数の走査線と複数のデータ線とが形成され、前記走査線と前記データ線との交差部に対応して前記画素が形成されており、前記第１の領域と前記第２の領域とが、前記データ線の延在方向及び前記走査線の延在方向に沿って格子状に配列された領域であることが好ましい。
これにより、前記データ線の延在方向及び前記走査線の延在方向に沿って、前記表示部を前記第１の領域と前記第２の領域とで小さく分割できるので、前記第１の消去ステップと前記第２のステップとを交互に繰り返しても、隣接する前記第１の領域及び前記第２の領域の前記階調が混色した色が表示される。したがって、画像書き替え時のフラッシングを低減した電気泳動表示装置の駆動方法とすることができる。
【００１５】
前記第１の領域及び前記第２の領域が、１つの前記画素からなる領域であることが好ましい。
これにより、前記第１の領域及び前記第２の領域を最小基本単位に設定できるので、隣接する前記第１の領域及び前記第２の領域の間の前記階調の違いがより視認されにくくなる。したがって、画像書き替え時のフラッシングを低減した電気泳動表示装置の駆動方法とすることができる。
【００１６】
前記表示部に、互いに交差して延びる複数の走査線と複数のデータ線とが形成され、前記走査線と前記データ線との交差部に対応して前記画素が形成されており、複数の前記第１の領域と複数の前記第２の領域とを前記データ線の延在方向に沿った帯状の領域として設定することが好ましい。
これにより、前記第１の消去ステップ及び前記第２の消去ステップにおいて、すべての前記画素に表示データを入力するまで、前記データ線を一定の電位に保持することができるので、前記データ線の電位制御に係る負荷を低減する電気泳動表示装置の駆動方法とすることができる。
【００１７】
前記表示部に、互いに交差して延びる複数の走査線と複数のデータ線とが形成され、前記走査線と前記データ線との交差部に対応して前記画素が形成されており、複数の前記第１の領域と複数の前記第２の領域とを前記走査線の延在方向に沿った帯状の領域として設定することが好ましい。
これにより、前記第１の消去動作及び前記第２の消去動作において、１本の前記走査線に属するすべての前記画素に同一の表示データを入力するので、すべての前記データ線の電位を均一にすることができる。したがって、前記データ線の電位制御に係る負荷を低減する電気泳動表示装置の駆動方法とすることができる。
【００１８】
前記一対の基板における一方の基板には、複数の画素電極が設けられ、他方の基板には、前記電気泳動素子を介して前記複数の画素電極と対向する共通電極が設けられ、前記画像消去ステップ及び前記画像書き込みステップにおいて、前記画素電極に第１の電位又は第２の電位を入力し、前記共通電極に前記第１の電位の期間と前記第２の電位の期間とを交互に繰り返す信号を入力することが好ましい。
これにより、前記画素電極に入力された電位が前記第１の電位又は前記第２の電位の何れかであっても、前記画素電極と前記共通電極との間に電位差が生じる期間を設けることができるので、前記階調の異なる前記画素を並行して書き替えることができる電気泳動表示装置の駆動方法とすることができる。
【００１９】
前記第１の消去ステップの期間と前記第２の消去ステップの期間とが、前記表示部に画像を表示する画像書き込みステップにおいて前記共通電極に入力される前記信号の前記第１の電位の期間及び前記第２の電位の期間より短いことが好ましい。
これにより、前記第１の消去ステップ及び前記第２の消去ステップの表示は、前記画像書き込みステップの表示と比較して弱く書き込まれるので、前記電気泳動粒子が固定されにくくなって撹拌が十分になされる。したがって、残像をなくし表示品質を向上した電気泳動表示装置の駆動方法とすることができる。
【００２０】
本発明の電気泳動表示装置は、一対の基板間に電気泳動粒子を含んだ電気泳動素子を挟持し、複数の画素からなる表示部と、前記複数の画素を制御する制御部とを備えた電気泳動表示装置であって、前記制御部は、前記表示部の画像を消去する画像消去動作において、前記表示部において互いに隣接し、それぞれ１又は複数の前記画素からなる第１の領域及び第２の領域のうち、前記第１の領域の前記画素に第１の階調を表示する一方、前記第２の領域の前記画素に第２の階調を表示する第１の消去動作と、前記第１の領域の前記画素に前記第２の階調を表示する一方、前記第２の領域の前記画素に前記第１の階調を表示する第２の消去動作と、を実行することを特徴とする。
これにより、前記表示部のうち一部の前記画素からなる前記第１の領域と前記第２の領域とに対して交互に異なる階調を表示して消去動作を行うので、前記第１の消去ステップと前記第２の消去ステップとを交互に繰り返しても、隣接する前記第１の領域及び前記第２の領域の前記階調が混色した色が表示される。したがって、画像書き替え時のフラッシングを低減した電気泳動表示装置を提供することができる。
【００２１】
前記制御部は、前記第１の消去動作と、前記第２の消去動作とを交互に複数回行うことが好ましい。
これにより、フラッシングの発生を抑制しつつ、前記電気泳動粒子を十分に撹拌できるので、残像をなくし表示品質を向上した電気泳動表示装置を提供することができる。
【００２２】
前記表示部に、互いに交差して延びる複数の走査線と複数のデータ線とが形成され、前記走査線と前記データ線との交差部に対応して前記画素が形成されており、前記制御部は、第１の領域と第２の領域とを、前記データ線の延在方向及び前記走査線の延在方向に沿って格子状に配列された領域として設定することが好ましい。
これにより、前記データ線の延在方向及び前記走査線の延在方向に沿って、前記表示部を前記第１の領域と前記第２の領域とで小さく分割できるので、前記第１の消去ステップと前記第２のステップとを交互に繰り返しても、隣接する前記第１の領域及び前記第２の領域の前記階調が混色した色が表示される。したがって、画像書き替え時のフラッシングを低減した電気泳動表示装置を提供することができる。
【００２３】
前記制御部は、前記第１の領域及び前記第２の領域を、１つの前記画素からなる領域として設定することが好ましい。
これにより、前記第１の領域及び前記第２の領域を最小基本単位に設定できるので、前記第１の領域と前記第２の領域との間の前記階調の違いがより視認されにくくなる。したがって、画像書き替え時のフラッシングを低減した電気泳動表示装置を提供することができる。
【００２４】
前記表示部に、互いに交差して延びる複数の走査線と複数のデータ線とが形成され、前記走査線と前記データ線との交差部に対応して前記画素が形成されており、前記制御部は、複数の前記第１の領域と複数の前記第２の領域とを前記データ線の延在方向に沿った帯状の領域として設定することが好ましい。
これにより、前記第１の消去ステップ及び前記第２の消去ステップにおいて、すべての前記画素に表示データを入力するまで、前記データ線を一定の電位に保持することができるので、前記データ線の電位制御に係る負荷を低減する電気泳動表示装置を提供することができる。
【００２５】
前記表示部に、互いに交差して延びる複数の走査線と複数のデータ線とが形成され、前記走査線と前記データ線との交差部に対応して前記画素が形成されており、前記制御部は、複数の前記第１の領域と複数の前記第２の領域とを前記走査線の延在方向に沿った帯状の領域として設定することを特徴とする電気泳動表示装置。
これにより、前記第１の消去動作及び前記第２の消去動作において、１本の前記走査線に属するすべての前記画素に同一の表示データを入力するので、すべての前記データ線の電位を均一にすることができる。したがって、前記データ線の電位制御に係る負荷を低減する電気泳動表示装置を提供することができる。
【００２６】
前記一対の基板における一方の基板には、複数の画素電極が設けられ、他方の基板には、前記電気泳動素子を介して前記複数の画素電極と対向する共通電極が設けられ、前記制御部は、前記画像消去動作及び前記画像書き込み動作において、前記画素電極に第１の電位又は第２の電位を入力し、前記共通電極に前記第１の電位の期間と前記第２の電位の期間とを交互に繰り返す信号を入力することが好ましい。
これにより、前記画素電極に入力された電位が前記第１の電位又は前記第２の電位の何れかであっても、前記画素電極と前記共通電極との間に電位差が生じる期間を設けることができるので、前記階調の異なる前記画素を並行して書き替えることができる電気泳動表示装置を提供することができる。
【００２７】
前記第１の消去動作の期間と前記第２の消去動作の期間とが、前記表示部に画像を表示する画像書き込み動作において前記共通電極に入力される前記信号の前記第１の電位の期間及び前記第２の電位の期間より短いことが好ましい。
これにより、前記第１の消去ステップ及び前記第２の消去ステップの表示は、前記画像書き込みステップの表示と比較して弱く書き込まれるので、前記電気泳動粒子が固定されにくくなって撹拌が十分になされる。したがって、残像をなくし表示品質を向上した電気泳動表示装置を提供することができる。
【００２８】
本発明の電子機器は、前記電気泳動表示装置を備えていることを特徴とする。
これにより、残像をなくし表示品質を向上した電子機器を提供することができる。また、前記表示部に前記第１の階調と前記第２の階調とが混色した色が表示されるので、画像書き替え時のフラッシングを低減した電子機器を提供することができる。
【発明を実施するための最良の形態】
【００２９】
以下に、図面を用いて本発明における電気泳動表示装置について説明する。なお、本実施形態では、アクティブマトリクス駆動方式の電気泳動表示装置について説明する。
【００３０】
また、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００３１】
図１は本発明の実施形態に係る電気泳動表示装置１の模式平面図である。電気泳動表示装置１は、表示部３０と、走査線駆動回路（制御部）６０と、データ線駆動回路（制御部）７０とを備えている。
表示部３０には、画素２０が、データ線駆動回路７０の延在方向に沿ってｎ個、走査線駆動回路６０の延在方向にｍ個のマトリクス状に配置されている。走査線駆動回路６０と画素２０とが、データ線駆動回路７０の延在方向に沿って延びた複数の走査線４０（Ｙ１、Ｙ２、…、Ｙｍ）を介して接続されている。データ線駆動回路７０と画素２０とが、表示部３０を走査線駆動回路６０の延在方向に沿って延びる複数のデータ線５０（Ｘ１、Ｘ２、…、Ｘｎ）を介して画素２０に接続されている。
【００３２】
走査線駆動回路６０は、シフトレジスタ回路６１と、レベルシフタ６２と、出力バッファ６３とを備えている。
シフトレジスタ回路６１は、各走査線４０に対応して複数のフリップフロップ回路（図示は省略）を備えている。また、すべてのフリップフロップ回路は直列に接続されている。
【００３３】
走査線駆動回路６０では、シフトレジスタ回路６１にクロックパルスを入力させた状態でスタートパルスを入力する。入力されたスタートパルスは、クロックパルスの立ち上がり（低電位から高電位への移行）、及び立ち下り（高電位から低電位への移行）に同期してフリップフロップ回路を順に移動する。スタートパルスが入力されたフリップフロップ回路は、選択信号をレベルシフタ６２に入力する。
【００３４】
レベルシフタ６２は、選択信号の電位を変える回路である。レベルシフタ６２は、画素２０では走査線駆動回路６０よりも高電位を必要とするために設けられている。
次に、電位が変換された選択信号は、出力バッファ６３に移動し電流が増幅される。そして、電流増幅された選択信号が走査線４０に供給される。出力バッファ６３によって、走査線駆動回路６０から離れた位置の画素２０にも確実に電力を供給できるようになっている。
【００３５】
データ線駆動回路７０は、シフトレジスタ回路７１と、第１のラッチ回路７２と、第２のラッチ回路７３と、レベルシフタ７４と、出力バッファ７５とを備えている。
【００３６】
データ線駆動回路７０では、シフトレジスタ回路７１にクロックパルスが入力された状態で、スタートパルスを入力する。スタートパルスが入力されると、シフトレジスタ回路７１からは、データ線５０のＸ１からＸｎに向かう順で第１のラッチ回路７２にラッチ信号が送られる。第１のラッチ回路７２は、データ線５０ごとに画像データを保持する記憶装置（図示は省略）を備えており、ラッチ信号に同期して画像データが取り込まれる。すべての記憶装置への画像データの取り込みを完了すると、画像データは第２のラッチ回路７３へ一斉に送られる。第２のラッチ回路７３においても、データ線５０ごとに記憶装置（図示は省略）を備えており、第１のラッチ回路７２から送られた画像データが保持される。
【００３７】
第２のラッチ回路７３に保持された画像データは、レベルシフタ７４に移動し電位が変えられる。そして、出力バッファ７５で電流増幅された画像データは、データ線５０に入力される。データ線５０に入力された信号は、前述の走査線駆動回路６０から選択信号が入力された走査線４０に属する画素２０に入力される。
【００３８】
なお、画像データが第１のラッチ回路７２から第２のラッチ回路７３に移動すると、その次の走査線４０に属する画素２０の画像データが第１のラッチ回路７２に取り込まれる。これにより、データ線５０に連続して画像データを入力できるようになっている。
【００３９】
図２は、画素２０の回路構成図である。
画素２０は、スイッチング素子２４と、容量２５と、画素電極２１と、共通電極２２と、電気泳動素子２３とを備えている。
【００４０】
スイッチング素子２４は、電界効果型のｎチャネルトランジスタであり、ゲート部２４ａには走査線４０が接続されている。端子２４ｂにはデータ線５０が接続されており、端子２４ｂと反対側の端子２４ｃには容量２５及び画素電極２１が接続されている。電気泳動素子２３は、画素電極２１と共通電極２２とで挟持されている。
【００４１】
容量２５は、スイッチング素子２４が駆動されている期間にときに充電されて、スイッチング素子２４が停止した後も一定期間電位を保持し、画素電極２１に電位を与えることができる。
【００４２】
また、本実施形態では、画素の回路構成として、容量２５に代えてラッチ回路を採用することができる。
図３は、ラッチ回路１２５を備えた画素１２０の回路構成図である。以下、画素１２０の回路構成について説明する。ラッチ回路１２５は、スイッチング素子２４と画素電極２１との間に設けられ、ラッチ回路１２５の入力端Ｎ１が端子２４ｃと接続され、ラッチ回路１２５の出力端Ｎ２が画素電極２１と接続されている。
【００４３】
ラッチ回路１２５は、ｐチャネルトランジスタ１５４とｎチャネルトランジスタ１５３とで形成されるインバータ回路と、ｐチャネルトランジスタ１５２とｎチャネルトランジスタ１５１とで形成されるインバータ回路とを組み合わせた構成となっている。
ラッチ回路１２５は、ｐチャネルトランジスタ１５４とｎチャネルトランジスタ１５３とが入力端Ｎ１で接続され、ｐチャネルトランジスタ１５２とｎチャネルトランジスタ１５１とが出力端Ｎ２で接続されている。
ｐチャネルトランジスタ１５４、及びｎチャネルトランジスタ１５３のゲート部は、出力端Ｎ２及び画素電極２１と接続され、ｐチャネルトランジスタ１５２、及びｎチャネルトランジスタ１５１のゲート部は、入力端Ｎ１及びスイッチング素子２４と接続されている。
ｐチャネルトランジスタ１５２、１５４は高電位電源線１５８に接続され、ｎチャネルトランジスタ１５１、１５３は低電位電源線１５７に接続されている。
【００４４】
このような構成を有するラッチ回路１２５はＳＲＡＭ（Static Random Access Memory）であり、入力端Ｎ１が高電位のときの出力端Ｎ２は低電位となり、入力端Ｎ１が低電位のときの出力端Ｎ２は高電位となる。また、ラッチ回路１２５に入力された画像データは、ラッチ回路１２５の電源がオフになるまで保持されるので、画素電極２１に安定した電位を入力することができる。
【００４５】
図４は表示部３０の部分断面図である。表示部３０は画素電極２１を備えた素子基板２８、及び共通電極２２を備えた対向基板２９で、電気泳動素子２３を挟持する構成を備えている。電気泳動素子２３は、複数のマイクロカプセル８０を備えている。
【００４６】
素子基板２８上には、画素２０ごとにＡｌ（アルミニウム）、ＩＴＯ（インジウム・スズ酸化物）などの導電性材料からなる画素電極２１が形成されている。素子基板２８は、ガラスやプラスティックなどの材料を成形したものである。図示は省略しているが、画素電極２１と素子基板２８との間には、図１、図２の走査線４０、データ線５０、スイッチング素子２４、容量２５などが形成されている。
対向基板２９は、電気泳動表示装置１において画像を表示する側であり、ガラスやプラスティックなどからなる透明な基板である。対向基板２９の電気泳動素子２３側の略全面に共通電極２２が形成されている。共通電極２２は、透明導電材料、例えばＭｇＡｇ（マグネシウム銀）、ＩＴＯ、ＩＺＯ（インジウム・亜鉛酸化物）からなる。
【００４７】
図５は、マイクロカプセル８０の模式断面図である。マイクロカプセル８０は、例えば５０μｍ程度の粒径を有する。マイクロカプセル８０は、内部に分散媒８１と、複数の白色粒子（電気泳動粒子）８２と、複数の黒色粒子（電気泳動粒子）８３とを含んだ球状体である。
マイクロカプセル８０の外殻部の材質としては、ポリメタクリル酸メチル、ポリメタクリル酸エチルなどのアクリル樹脂、ユリア樹脂、アラビアゴムなどの透光性を持つ高分子樹脂を採用することができる。マイクロカプセル８０は、図４に示すように画素電極２１と共通電極２２とで挟持されており、１つの画素２０内に１つ又は複数のマイクロカプセル８０が配置されている。
【００４８】
分散媒８１は、白色粒子８２と黒色粒子８３とをマイクロカプセル８０内に分散させた液体である。分散媒８１の材質としては、例えば水、メタノール、エタノール、イソプロパノール、ブタノール、オクタノール、メチルセルソルブなどのアルコール系溶媒、酢酸エチル、酢酸ブチルなどのエステル類、アセトン、メチルエチルケトン、メチルイソブチルケトンなどのケトン類、ぺンタン、ヘキサン、オクタンなどの脂肪族炭化水素、シクロへキサン、メチルシクロへキサンなどの脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタン等のハロゲン化炭化水素、カルボン酸塩又はその他の種々の油類などの単独又はこれらの混合物に界面活性剤等を配合したものを採用することができる。
【００４９】
白色粒子８２は、例えば、二酸化チタン、亜鉛華、三酸化アンチモン等の白色顔料からなる粒子（高分子あるいはコロイド）であり、例えば負に帯電している。
黒色粒子８３は、例えば、アニリンブラック、カーボンブラック等の黒色顔料からなる粒子（高分子あるいはコロイド）であり、例えば正に帯電している。
【００５０】
これらの粒子を構成する顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００５１】
図６は、マイクロカプセル８０の動作を説明した図であり、（ａ）図は画素２０を白表示する場合、及び（ｂ）図は画素２０を黒表示する場合を示している。
まず図６（ａ）に示すように、共通電極２２に画素電極２１より高電位を印加すると、負に帯電した白色粒子８２が共通電極２２に引き寄せられ、正に帯電した黒色粒子８３が画素電極２１に引き寄せられる。したがって、この画素２０は白表示される。
【００５２】
一方、図６（ｂ）に示すように、画素電極２１に共通電極２２より高電位を印加すると、正に帯電した黒色粒子８３が共通電極２２に引き寄せられ、負に帯電した白色粒子８２が画素電極２１に引き寄せられる。したがって、この画素２０は黒表示される。
【００５３】
なお、白色粒子８２、黒色粒子８３に用いる顔料を、例えば赤色、緑色、青色などの顔料に代えることで、赤色、緑色、青色などの表示が可能である。
【００５４】
［第１の駆動方法］
次に、本発明の電気泳動表示装置の駆動方法について図面を参照して説明する。
第１の駆動方法は、白消去と黒消去とを行う微小領域（第１、第２の領域）の基本単位を、格子状に配置された１つの画素ごととし、白表示と黒表示とを市松模様に配置し、これらの色を交互に入れ替えることで市松模様が表示部の左から右側に移動するように画像消去を行う駆動方法である。
【００５５】
図７は、画像消去における表示部３０のパターン画像を示している。図７は、井桁状の画像２００が表示された状態（図７（ａ））から市松模様の画像の色を交互に入れ替えて画像消去する態様を示している。図７は、走査線４０に沿って（Ｘ軸方向）５個、データ線５０に沿って（Ｙ軸方向）５個ずつの画素２０で形成される表示部３０の一部の領域を抜き出したものである。
また、図７の画素２０Ａは左側最上段の画素であり、画素２０Ｂは左から２列目の最上段で、画素２０Ａと隣接する画素である。これらの画素２０Ａ、２０Ｂは、表示部３０の市松模様における白表示と黒表示とを１つずつ選択したものであり他意はない。本駆動方法の説明はこれらの画素２０Ａ、２０Ｂを用いて行う。
図８は、第１の駆動方法に係るタイミングチャートの一例を示す図である。第１の駆動方法では、画像保持ステップと、画像消去ステップと、画像書き込みステップとを実行する。図８には、図９に断面構造を示す画素２０Ａの画素電極２１Ａと、画素２０Ｂの画素電極２１Ｂと、画素２０Ａ及び画素２０Ｂに共通の共通電極２２とに入力される電位がそれぞれ示されている。
図９は、画像消去ステップにおける電気泳動粒子の運動態様を示す図である。図９は、画素２０Ａ、２０Ｂに対するものであり、（ａ）図は第１の消去ステップ、（ｂ）図は第２の消去ステップ、及び（ｃ）図は第３の消去ステップに対応する。
【００５６】
始めに、画像保持ステップについて説明する。画像保持ステップは、表示部３０に書き込まれた画像を保持している期間に対応する。画像保持ステップにおいて、画素電極２１Ａと、画素電極２１Ｂと、共通電極２２とは電気的に切断されたハイインピーダンス状態となっている。
【００５７】
次に、画像消去ステップについて説明する。画像消去ステップは表示部３０に新たな画像を書き込む前段階として表示部全体を白表示又は黒表示に移行する期間に対応する。画像消去ステップは、第１の消去ステップと第２の消去ステップと第３の消去ステップとを有している。
【００５８】
画像消去ステップに移行すると、共通電極２２に高電位（Ｈ）の期間（Ｔ１）と低電位（Ｌ）の期間（Ｔ１）とを繰り返す矩形状のパルス（信号）が入力される。また、白表示する画素２０の画素電極２１に低電位（Ｌ）を入力し、黒表示する画素２０の画素電極２１に高電位（Ｈ）を入力する。
このような駆動方法を行うと、共通電極２２に高電位（Ｈ）が入力される期間では、白表示する画素２０の画素電極２１と共通電極２２との間に電位差が生じ、画素２０が白表示される。一方、共通電極２２に低電位（Ｌ）が入力される期間では、黒表示する画素２０の画素電極２１と共通電極２２との間に電位差が生じ、画素２０が黒表示される。
したがって、共通電極２２にパルスが入力されることで、異なる画素２０に対する白表示と黒表示とを並行して行うことができ、このような駆動方法は「コモン振り」と呼ばれている。本駆動方法では、「コモン振り」を用いることを前提として説明する。
【００５９】
まず、第１の消去ステップについて説明する。
第１の消去ステップの期間Ｔ１０は共通電極２２に１周期分のパルスが入力される期間である。この期間に、画素２０Ａの画素電極２１Ａには、Ｔ１０の期間高電位（Ｈ）が入力される。そして、共通電極２２に高電位（Ｈ）が入力される前半部では、画素電極２１Ａと共通電極２２との間に電位差が生じないので、白色粒子８２及び黒色粒子８３は移動しない。続いて、共通電極２２に低電位（Ｌ）が入力される後半部では、画素電極２１Ａが高電位側となるので、黒色粒子８３が共通電極２２に集まり、白色粒子８２が画素電極２１Ａに集まる（図９（ａ））。したがって、白表示の画素２０Ａが黒表示に移行する。
一方、画素２０Ｂの画素電極２１Ｂには、Ｔ１０の期間低電位（Ｌ）が入力される。また、共通電極２２のパルスは１周期分入力される。したがって、共通電極２２に高電位（Ｈ）が入力される前半部では、共通電極２２が高電位側となるので、白色粒子８２が共通電極２２に集まり、黒色粒子８３が画素電極２１Ｂに集まる。これに対して、共通電極２２に低電位（Ｌ）が入力される後半部では、画素電極２１Ｂと共通電極２２との間に電位差が生じないので、白色粒子８２及び黒色粒子８３は移動しない（図９（ａ））。したがって、画素２０Ｂが黒表示から白表示に移行する。
これにより、表示部３０の表示画像は、図７（ａ）から図７（ｂ）に移行し、表示が反転する画素２０において白色粒子８２、黒色粒子８２が撹拌される。また、表示部３０には、微小な白い領域と黒い領域とが交互に並ぶので、人間の目には常に両者が混色されたグレーに見えるので、フラッシングが起こらず不快を感じることはない。
【００６０】
次に、第２の消去ステップについて説明する。
第２の消去ステップの期間Ｔ１０は共通電極２２に１周期分のパルスが入力される期間である。この期間に、画素２０Ａの画素電極２１Ａには、Ｔ１０の期間低電位（Ｌ）が入力される。そして、共通電極２２に高電位（Ｈ）が入力される前半部では、共通電極２２が高電位側となるので、白色粒子８２が共通電極２２に集まり、黒色粒子８３が画素電極２１Ａに集まる。これに対して、共通電極２２に低電位（Ｌ）が入力される後半部では、画素電極２１Ａと共通電極２２との間に電位差が生じないので、白色粒子８２及び黒色粒子８３は移動しない（図９（ｂ））。したがって、黒表示の画素２０Ａが白表示に移行する。
一方、画素２０Ｂの画素電極２１Ｂには、Ｔ１０の期間高電位（Ｈ）が入力される。また、共通電極２２のパルスは１周期分入力される。したがって、共通電極２２に高電位（Ｈ）が入力される前半部では、画素電極２１Ｂと共通電極２２との間に電位差が生じないので、白色粒子８２及び黒色粒子８３は移動しない。これに対して、共通電極２２に低電位（Ｌ）が入力される後半部では、画素電極２１Ｂが高電位側となるので、黒色粒子８３が共通電極２２に集まり、白色粒子８２が画素電極２１Ｂに集まる（図９（ｂ））。したがって、白表示の画素２０Ｂが黒表示に移行する。
これにより、表示部３０の表示画像は、図７（ｂ）から図７（ｃ）に移行し、表示部３０の全画素２０で表示が反転するので、すべての画素２０の白色粒子８２、黒色粒子８２が撹拌される。このとき、表示部３０では、微小な白い領域と黒い領域とが入れ替わって交互に並ぶことになるが、人間の目には常に白と黒が混色されたグレーに見えるので、第１の消去ステップから第２の消去ステップに移行する際にフラッシングが起こることはなく、不快を感じることはない。
【００６１】
このように、第１の消去ステップと第２の消去ステップとを行うことで、画素２０Ａ、２０Ｂの白色粒子８２と黒色粒子８３とを撹拌することができる。
【００６２】
さらに本駆動方法では、上記の第２の消去ステップに続いて、第１の消去ステップと、第２の消去ステップと、第１の消去ステップとを順に行っている。これにより、表示部３０の表示画像は、図７（ｄ）から図７（ｆ）まで順に切り替わる。これにより、白色粒子８２と黒色粒子８３とを撹拌する回数を増やして確実に画像を消去し、残像を生じないようにしている。
【００６３】
このように、白色粒子８２、黒色粒子８３と十分に撹拌すると、第３の消去ステップに移行する。第３の消去ステップは、画像消去ステップの最後に行うステップであり、表示部３０を白表示するためのステップである。
第３の消去ステップでは、画素２０Ａ、２０Ｂを同様に駆動する。すなわち、第３の消去ステップでは、画素電極２１Ａ、２１Ｂの双方（全画素電極）に低電位（Ｌ）が入力される。このとき共通電極２２のパルスは１周期分入力される。したがって、共通電極２２に高電位（Ｈ）が入力される前半部では、共通電極２２が高電位側となる。そうすると、黒表示となっている画素２０Ａでは、共通電極２２に白色粒子８２が集まり、画素電極２１Ａ、２１Ｂに黒色粒子８３が集まって白表示に移行する。
画素２０Ｂは、直前の第１のステップにより白表示されており、白色粒子８２、黒色粒子８３は移動しない（図９（ｃ））。
一方、共通電極２２に低電位（Ｌ）が入力される後半部では、画素電極２１Ａと共通電極２２との間、及び画素電極２１Ｂと共通電極２２との間に電位さが生じないので、何れの画素２０でも白色粒子８２及び黒色粒子８３は移動しない。
これにより、図７（ｇ）に示すように、画素２０Ａ、２０Ｂを含む表示部３０の全体が白表示されて画像消去ステップを完了し、画像書込みステップに移行する。
【００６４】
次に、画像書込みステップについて説明する。画像書込みステップでは、画像消去ステップにより画像消去された表示部３０に新たな画像を書き込む期間に対応する。
【００６５】
画像書込みステップに移行すると、共通電極２２に高電位（Ｈ）の期間（Ｔ１００）と低電位（Ｌ）の期間（Ｔ１００）とを繰り返す矩形状のパルス（信号）が入力される。また、白表示する画素２０の画素電極２１に低電位（Ｌ）を入力し、黒表示する画素２０の画素電極２１に高電位（Ｈ）を入力する。
このような駆動方法を行うと、共通電極２２に高電位（Ｈ）が入力される期間では、白表示する画素２０の画素電極２１と共通電極２２との間に電位差が生じるが、すべての画素２０が白表示された状態で画像書込みステップに移行しているので、白表示する画素２０の白色粒子８２、黒色粒子８３は移動しない。
一方、共通電極２２に低電位（Ｌ）が入力される期間では、黒表示する画素２０の画素電極２１と共通電極２２との間に電位差が生じ、画素２０が黒表示される。
本駆動方法では、共通電極２２に高電位（Ｈ）及び低電位（Ｌ）が入力される期間Ｔ１００をおよそ０．３ｓとし、画像書込みステップ全体の期間をおよそ２ｓとしている。
【００６６】
本駆動方法では、画像書込みステップにおいて共通電極２２に高電位（Ｈ）及び低電位（Ｌ）が入力される期間Ｔ１００をおよそ０．３ｓとしているのに対して、画像消去ステップにおいて共通電極２２に高電位（Ｈ）及び低電位（Ｌ）が入力される期間Ｔ１をおよそ０．１ｓとしている。すなわち、画像消去ステップにおける書込みレベルを画像書込みステップと比べて弱くなるようにしている。これにより、画像消去ステップでの画素への書き込みでは、白色粒子８２、黒色粒子８３が完全には画素電極２１と共通電極２２とに移動しきっていない状態になるので、残像を生じさせることはほとんどない。
これは、画像消去ステップにおける画像表示が前画像の残像を消去するためのものであり、白色粒子８２と黒色粒子８３とを十分に撹拌することを目的としているからである。また、この撹拌により各粒子の動きがスムーズになり、画像書込みステップにおいて書き込まれる画像を鮮明に表示することができる。
さらに、消去ステップにおける表示が明確な黒、白とならないので、より混色して見えやすく、フラッシングを生じにくい消去方法となっている。
本駆動方法では、画像消去ステップにおいて共通電極２２に高電位（Ｈ）及び低電位（Ｌ）が入力される期間Ｔ１を、概ね画像書込みステップにおいて共通電極２２に高電位（Ｈ）及び低電位（Ｌ）が入力される期間Ｔ１００の１／３程度にしているが、Ｔ１はこれに限定されるものではなく、Ｔ１００の１／２以下であれば残像の発生を抑制しつつ確実な消去動作を行える。
【００６７】
本駆動方法では、画素２０Ａ、２０Ｂを微小領域（第１の領域、第２の領域）の基本単位としているが、これに限定するものではない。例えば２〜９画素程度の複数の画素２０を微小領域（第１、第２の領域）の基本単位とすることもできる。
また第１、第２、及び第３の消去ステップにおいて、共通電極２２に入力するパルスを１周期分としたが、複数周期分入力することであってもよい。
そして、第１、第２の消去ステップの繰り返し回数をさらに増やしてもよい。これにより、白色粒子８２、黒色粒子８３をより撹拌することができるので、より残像をなくすことができる。
【００６８】
このような駆動方法を備える電気泳動表示装置１によれば、以下の効果を得ることができる。
画像消去ステップにおいて、１つの画素２０を微小領域に設定し、表示部３０を白表示と黒表示とで市松模様に表示しているので、各画素２０を交互に反転表示しても隣接する白表示と黒表示とが混色されて肉眼ではグレー表示と認識される。したがって、消去動作時に、使用者にはグレー表示が変化しないように見えるので、フラッシングの生じない消去動作を実現できる。また、第１の消去ステップと第２の消去ステップとを行うことで表示が反転して、白色粒子８２と黒色粒子８３とが撹拌されるので、残像をなくし表示品質を向上することができる。
【００６９】
また、市松模様の領域を大きくした場合にも領域が過大にならなければ混色されてグレーに見えるので、フラッシングは生じない。
微小領域の基本単位を走査線４０に沿った複数画素分の幅を有する矩形状の領域、あるいは、データ線５０に沿った複数画素分の幅を有する矩形状の領域で設定して、表示部３０を白表示と黒表示とで市松模様に表示しても、使用者にはグレー表示と認識されるので、表示書き替え時のフラッシングを低減することができる。
【００７０】
第１の消去ステップと第２の消去ステップとを交互に複数回行うことで、白色粒子８２と黒色粒子８３とを撹拌する回数を増やすことができるので、さらに残像の生じにくい消去を行うことができ、表示品質を向上することができる。
【００７１】
「コモン振り」駆動を採用することで、低電位（Ｌ）及び高電位（Ｈ）の２種類の電位で画像消去ステップを行うことができるので、画素電極２１と共通電極２２とに入力する電位の制御に係る負荷を低減することができる。また、黒表示と白表示とを並行して行うことができるので、表示画像の高速反転と高速消去とを行うことができる。
【００７２】
（変形例）
次に、本駆動方法の変形例について説明する。本変形例は、上述した「コモン振り」に代えて、共通電極２２に低電位（Ｌ）及び高電位（Ｈ）の中間の電位である中電位（Ｍ）に設定する駆動方法である。
図１０は、本変形例に係るタイミングチャート図である。本変形例においても、画像保持ステップと画像消去ステップと画像書込みステップとを実行する。画像消去ステップは、第１、第２、及び第３の消去ステップを有している。
画像消去ステップにおいて、共通電極２２には中電位（Ｍ）が入力される。
第１の消去ステップでは、画素電極２１Ａに高電位（Ｈ）、及び画素電極２１Ｂに低電位（Ｌ）が入力される。
第２の消去ステップでは、画素電極２１Ａに低電位（Ｌ）、及び画素電極２１Ｂに高電位（Ｈ）が入力される。
第３の消去ステップでは、画素電極２１Ａ、２１Ｂに低電位（Ｌ）が入力される。
【００７３】
共通電極２２にこのような中電位（Ｍ）が入力されると、「コモン振り」駆動と異なり、共通電極２２と画素電極２１Ａ、２１Ｂとの間に常に電位差が生じるので、画素２０Ａ、２０Ｂにおいて同時に画像が変化する。
第１の消去ステップを例に挙げて説明すると、画素２０Ａでは、画素電極２１Ａが共通電極２２より高電位であるので、黒色粒子８３が共通電極２２に集まり、白色粒子８２が画素電極２１Ａに集まって、白表示から黒（グレー）表示に変化する。また、画素２０Ｂでは、共通電極２２が画素電極２１Ｂより高電位であるので、白色粒子８２が共通電極２２に集まり、黒色粒子８３が画素電極２１Ｂに集まって、黒表示から白（グレー）表示に変化する。これらの画素２０Ａ、２０Ｂにおける動作が同時に進行する。
このような駆動方法では、画像消去時における共通電極２２と画素電極２１Ａ、２１Ｂとの間の電位差が画像書込み時の半分になるので、画素２０の表示が完全に移行しないことも考えられるが、消去動作であるから問題なく、むしろフラッシングが生じにくくなるという利点がある。
【００７４】
画像消去ステップの期間において、共通電極２２に中電位（Ｍ）を入力する駆動方法とすることで、画素２０Ａ、２０Ｂに対して同時に画像を表示することができるので、画像消去を短時間で行うことができる。
また、第１の消去ステップと第２の消去ステップとを行って画素の表示が変化しても、使用者にはグレー表示が変化しないように見えるので、表示書き替え時のフラッシングを低減することができる。そして、第１の消去ステップと第２の消去ステップとを行うと白色粒子８２と、黒色粒子８３とを撹拌することができるので、残像をなくし表示品質を向上することができる。
【００７５】
［第２の駆動方法］
次に、第２の駆動方法について説明する。第２の駆動方法は、１本のデータ線５０に属する一群の画素２０からなる領域を微小領域（第１、第２の領域）の基本単位とし、縦のストライプ表示された画像の色を交互に入れ替えることで画像を消去する駆動方法である。
本駆動方法においても、走査線４０に沿って５個、データ線５０に沿って５個ずつの画素２０で形成された表示部３０の一部の領域を抜き出して画像パターンを示す。
【００７６】
図１１は、画像消去における表示部３０のパターン画像を示している。本実施形態では、表示部３０に、縦方向（Ｙ軸方向）の１本のデータ線５０に属する一群の画素２０からなる微小領域が複数配置される。図１１には、表示部３０に、それぞれ異なる色が表示される第１の領域２０１と第２の領域２０２とを走査線４０の延在方向において交互に設定し、第１の領域２０１と第２の領域２０２との色を交互に入れ替えることで、図１１（ａ）の井桁状の画像２００が消去される様子が示されている。
本駆動方法では、第１の領域２０１を形成する画素２０を代表して左側最上段の画素２０Ａと、第２の領域２０２を形成する画素２０を代表して左から２列目最上段の画素２０Ｂとを選択し、これらの画素２０Ａ、２０Ｂにおける動作を説明することで、本駆動方法の画像消去について説明する。
また、本駆動方法においても「コモン振り」を前提としており、画素２０Ａ、２０Ｂに係るタイミングチャート、及び白色粒子８２、黒色粒子８３の運動態様は、第１の駆動方法と同様であるので図８、及び図９を参照する。
【００７７】
図１１（ａ）は図８の画像保持ステップに対応し、第１の消去ステップにより図１１（ａ）から図１１（ｂ）に示す状態へ移行する。
図８に示すように、第１の消去ステップでは、画素２０Ａの画素電極２１Ａに高電位（Ｈ）が入力される。そして、共通電極２２には、高電位（Ｈ）の期間と低電位（Ｌ）の期間とを繰り返すパルスが入力される。したがって、共通電極２２に入力されるパルスが低電位（Ｌ）の期間のとき、画素電極２１Ａと共通電極２２との間に電位差が生じ、黒色粒子８３が共通電極２２に集まり、白色粒子８２が画素電極２１Ａに集まる（図９（ａ））。したがって、白表示の画素２０Ａが黒表示に移行するので、第１の領域２０１は黒表示される。なお、画素２０Ａがあらかじめ黒表示されている場合には、白色粒子８２、黒色粒子８３は移動しない。
一方、画素２０Ｂの画素電極２１Ｂには低電位（Ｌ）が入力される。したがって、共通電極２２に入力されるパルスが高電位（Ｈ）の期間のとき、画素電極２１Ｂと共通電極２２との間に電位差が生じ、白色粒子８２が共通電極２２に集まり、黒色粒子８３が画素電極２１Ｂに集まる（図９（ａ））。したがって、黒表示の画素２０Ｂが白表示に移行するので、第２の領域２０２は白表示される。なお、画素２０Ｂがあらかじめ白表示されている場合には、白色粒子８２、黒色粒子８３は移動しない。
これらの動作が行われることで、表示部３０の画像は図１１（ａ）から図１１（ｂ）に移行して縦のストライプ画像が表示されて、白色粒子８２、黒色粒子８３が撹拌される。また、表示部３０には、微小な白い領域と黒い領域とが交互に並ぶので、人間の目には常にグレーに見えるので、フラッシングが起こらず不快を感じることはない。
【００７８】
次に、第２の消去ステップにより図１１（ｂ）から図１１（ｃ）に示す状態へ移行する。第２の消去ステップに移行すると、画素電極２１Ａに低電位（Ｌ）が入力される。したがって、共通電極２２に高電位（Ｈ）が入力されると、画素電極２１Ａと共通電極２２との間に電位差が生じ、白色粒子８２が共通電極２２に集まり、画素電極２１Ａに黒色粒子８３が集まる（図９（ｂ））。したがって、黒表示の画素２０Ａが白表示に移行するので、第１の領域２０１が白表示される。
一方、画素電極２１Ｂには高電位（Ｈ）が入力される。したがって、共通電極２２に低電位（Ｌ）が入力されると、画素電極２１Ｂと共通電極２２との間に電位差が生じ、黒色粒子８３が共通電極２２に集まり、画素電極２１Ｂに白色粒子８２が集まる（図９（ｂ））。したがって、白表示の画素２０Ｂが黒表示に移行するので、第２の領域２０２が黒表示される。
これらの動作が行われることで、表示部３０の画像は図１１（ｂ）から図１１（ｃ）に移行して色が反転した縦のストライプ画像が表示され、白色粒子８２、黒色粒子８３が撹拌される。また反転画像を表示しても、表示部３０には、微小な白い領域と黒い領域とが交互に並ぶので、人間の目には常にグレーに見えているので、画像の反転が認識されない。このため、フラッシングが起こらず不快を感じることはない。
【００７９】
さらに、第１の消去ステップと、第２の消去ステップと、第１の消去ステップとを順に行うことで、表示部３０の画像を図１１（ｃ）から図１１（ｆ）まで反転画像を連続して表示させることで、さらに白色粒子８２、黒色粒子８３を撹拌する。このとき、表示部３０には、微小な白い領域と黒い領域とが交互に並ぶので、人間の目には常にグレーに見えるので、フラッシングが起こらず不快を感じることはない。
【００８０】
白色粒子８２、黒色粒子８３を撹拌すると、第３の消去ステップに移行する。
第３の消去ステップは、画素電極２１Ａ、２１Ｂの双方（全画素電極）に低電位（Ｌ）が入力される。したがって、共通電極２２に高電位（Ｈ）が入力されると共通電極２２と画素電極２１Ａとの間、及び共通電極２２と画素電極２１Ｂとの間に電位差が生じる。そうすると、画素２０Ａでは、共通電極２２に白色粒子８２が集まり、画素電極２１Ａに黒色粒子８３が集まって白表示に移行する。これに対して画素２０Ｂは、直前の第１の消去ステップにより白表示されており白色粒子８２、黒色粒子８３は移動しない（図９（ｃ））。
これにより、画素２０Ａ、２０Ｂを含む表示部３０の全体が白表示されて画像消去ステップを完了し（図１１（ｆ）〜図１１（ｇ））、画像書込ステップに移行する。
【００８１】
本駆動方法においても、画像書込みステップにおいて共通電極２２に高電位（Ｈ）及び低電位（Ｌ）が入力される期間Ｔ１００をおよそ０．３ｓとしているのに対して、画像消去ステップにおいて共通電極２２に高電位（Ｈ）及び低電位（Ｌ）が入力される期間Ｔ１をおよそ０．１ｓとしている。すなわち、画像消去ステップにおける書込みレベルを画像書込みステップと比べて弱くなるようにしている。これにより、画像消去ステップでの画素への書込みでは、白色粒子８２、黒色粒子８３が完全には画素電極２１と共通電極２２とに移動しきっていない状態になるので、残像を生じさせることはほとんどない。
これは、画像消去ステップにおける画像表示が前画像の残像を消去するためのものであり、白色粒子８２と黒色粒子８３とを十分に撹拌することを目的としているからである。また、この撹拌により各粒子の動きがスムーズになり、画像書込みステップにおいて書き込まれる画像を鮮明に表示することができる。さらに、消去ステップで画素の表示が明確な黒、白とならないので、より混色して見えやすくフラッシングを生じにくい方法となっている。
本駆動方法では、画像消去ステップにおいて共通電極２２に高電位（Ｈ）及び低電位（Ｌ）が入力される期間Ｔ１を、概ね画像書込みステップにおいて共通電極２２に高電位（Ｈ）及び低電位（Ｌ）が入力される期間Ｔ１００の１／３程度にしているが、Ｔ１はこれに限定されるものではなく、Ｔ１００の１／２以下であれば、残像の発生を抑制しつつ確実な消去動作を行える。
【００８２】
本駆動方法では、１つのデータ線５０に属する一群の画素２０で形成された第１の領域２０１と第２の領域２０２とを微小領域の基本単位としているが、これに限定するものではない。隣接する第１の領域２０１と第２の領域２０２の色が混色して肉眼でグレー表示として認識される範囲内であれば、複数本のデータ線５０に属する一群の画素２０で形成される領域を第１の領域２０１と第２の領域２０２との基本単位とすることができる。
また第１、第２、及び第３の消去ステップにおいて、共通電極２２に入力されるパルスを１周期分としたが、複数周期分入力されてもよい。
そして、第１、第２の消去ステップの繰り返し回数をさらに増やしてもよい。これにより、白色粒子８２、黒色粒子８３をより撹拌することができるので、さらに残像の生じにくい消去を行うことができる。
【００８３】
このような駆動方法によれば、以下の効果を得ることができる。
第１の領域２０１と第２の領域２０２とを微小領域の基本単位としているので、第１の領域２０１及び第２の領域２０２を交互に反転表示しても、隣接する第１の領域２０１と第２の領域２０２とが混色されてグレー表示と視認される。したがって消去動作時に、使用者には常にグレー表示に見えるので、フラッシングの生じない消去動作を実現できる。また、第１の消去ステップと第２の消去ステップとを行うことで表示が反転して、白色粒子８２と黒色粒子８３とが撹拌されるので、残像をなくし表示品質を向上することができる。
【００８４】
また、第１の領域２０１と第２の領域２０２とを大きくした場合にも、領域が過大にならなければ混色されてグレーに見えるのでフラッシングは生じない。
【００８５】
また、画像データを画素２０に入力するときに、走査線４０が順に表示部３０を走査している期間はデータ線５０の電位を切り替える必要がないので、データ線５０の電位の制御に係る負荷を低減することができる。
【００８６】
本実施形態では、第１の駆動方法で説明した「コモン振り」による駆動方法に基づいて説明したが、第１の駆動方法の変形例で示したように、低電位（Ｌ）と高電位（Ｈ）とのほぼ中間の電位である中電位（Ｍ）を共通電極２２に入力する駆動方法を採用することができる。このときのタイミングチャートは図１０と同様である。
【００８７】
［第３の駆動方法］
次に、第３の駆動方法について説明する。第３の駆動方法は、１本の走査線４０に属する一群の画素２０からなる領域を微小領域（第１、第２の領域）の基本単位とし、横のストライプ表示された画像の色を交互に入れ替えることで画像を消去する駆動方法である。
本駆動方法においても、走査線４０に沿って５個、データ線５０に沿って５個ずつの画素２０で形成された表示部３０の一部の領域を抜き出して画像パターンを示す。
【００８８】
図１２は、画像消去における表示部３０のパターン画像を示している。本実施形態では、表示部３０に、横方向（Ｘ軸方向）の１本のデータ線５０に属する一群の画素２０からなる微小領域が複数配置される。図１２には、表示部３０に、それぞれ異なる色が表示される第１の領域２１１と第２の領域２１２とをデータ線５０の延在方向において交互に設定し、第１の領域２１１と第２の領域２１２との色を交互に入れ替えることで、図１２（ａ）の井桁状の画像２００が消去される様子が示されている。
本駆動方法では、第１の領域２１１を形成する画素２０を代表して左側最上段の画素２０Ａと、第２の領域２１２を形成する画素２０を代表して左側上から２段目（２行目）の画素２０Ｂとを選択し、これらの画素２０Ａ、２０Ｂにおける動作を説明することで、本駆動方法の画像消去について説明する。
また、本駆動方法においても「コモン振り」を前提としており、画素２０Ａ、２０Ｂに係るタイミングチャート、及び白色粒子８２、黒色粒子８３の運動態様は、第１の駆動方法と同様であるので図８、及び図９を参照する。
【００８９】
図１２（ａ）は図８の画像保持ステップに対応し、第１の消去ステップにより図１２（ａ）から図１２（ｂ）へ移行する。
図８に示すように、第１の消去ステップでは、画素２０Ａの画素電極２１Ａに高電位（Ｈ）が入力される。そして、共通電極２２には、高電位（Ｈ）の期間と低電位（Ｌ）の期間とを繰り返すパルスが入力される。したがって、共通電極２２に入力されるパルスが低電位（Ｌ）の期間のとき、画素電極２１Ａと共通電極２２との間に電位差が生じ、黒色粒子８３が共通電極２２に集まり、白色粒子８２が画素電極２１Ａに集まる（図９（ａ））。したがって、白表示の画素２０Ａが黒表示に移行するので、第１の領域２１１は黒表示される。なお、画素２０Ａがあらかじめ黒表示されている場合には、白色粒子８２、黒色粒子８３は移動しない。
一方、画素２０Ｂの画素電極２１Ｂには低電位（Ｌ）が入力される。したがって、共通電極２２に入力されるパルスが高電位（Ｈ）の期間のとき、画素電極２１Ｂと共通電極２２との間に電位差が生じ、白色粒子８２が共通電極２２に集まり、黒色粒子８３が画素電極２１Ｂに集まる（図９（ａ））。したがって、黒表示の画素２０Ｂが白表示に移行するので、第２の領域２１２は白表示される。なお、画素２０Ｂがあらかじめ白表示されている場合には、白色粒子８２、黒色粒子８３は移動しない。
これらの動作が行われることで、表示部３０の画像は図１２（ａ）から図１２（ｂ）に移行して横のストライプ画像が表示されて、白色粒子８２、黒色粒子８３が撹拌される。また、表示部３０には、微小な白い領域と黒い領域とが交互に並ぶので、人間の目には常にグレーに見えるので、フラッシングが起こらず不快を感じることはない。
【００９０】
次に、第２の消去ステップにより図１２（ｂ）から図１２（ｃ）に示す状態へ移行する。第２の消去ステップに移行すると、画素電極２１Ａに低電位（Ｌ）が入力される。したがって、共通電極２２に高電位（Ｈ）が入力されると、画素電極２１Ａと共通電極２２との間に電位差が生じ、白色粒子８２が共通電極２２に集まり、画素電極２１Ａに黒色粒子８３が集まる（図９（ｂ））。したがって、黒表示の画素２０Ａが白表示に移行するので、第１の領域２１１が白表示される。
一方、画素電極２１Ｂには高電位（Ｈ）が入力される。したがって、共通電極２２に低電位（Ｌ）が入力されると、画素電極２１Ｂと共通電極２２との間に電位差が生じ、黒色粒子８３が共通電極２２に集まり、画素電極２１Ｂに白色粒子８２が集まる（図９（ｂ））。したがって、白表示の画素２０Ｂが黒表示に移行するので、第２の領域２１２が黒表示される。
これらの動作が行われることで、表示部３０の画像は図１２（ｂ）から図１２（ｃ）に移行して色が反転した横のストライプ画像が表示され、白色粒子８２、黒色粒子８３が撹拌される。また反転画像を表示しても、表示部３０には、微小な白い領域と黒い領域とが交互に並ぶので、人間の目には常にグレーに見えているので、画像の反転が認識されない。このため、フラッシングが起こらず不快を感じることはない。
【００９１】
さらに、第１の消去ステップと、第２の消去ステップと、第１の消去ステップとを順に行うことで、表示部３０の画像を図１２（ｃ）から図１２（ｆ）まで反転画像を連続して表示させることで、さらに白色粒子８２、黒色粒子８３を撹拌する。このとき、表示部３０には、微小な白い領域と黒い領域とが交互に並ぶので、人間の目には常にグレーに見えるので、フラッシングが起こらず不快を感じることはない。
【００９２】
白色粒子８２、黒色粒子８３を撹拌すると、第３の消去ステップに移行する。
第３の消去ステップは、画素電極２１Ａ、２１Ｂの双方（全画素電極）に低電位（Ｌ）が入力される。したがって、共通電極２２に高電位（Ｈ）が入力されると共通電極２２と画素電極２１Ａとの間、及び共通電極２２と画素電極２１Ｂとの間に電位差が生じる。そうすると、画素２０Ａでは、共通電極２２に白色粒子８２が集まり、画素電極２１Ａに黒色粒子８３が集まって白表示に移行する。これに対して画素２０Ｂは、直前の第１の消去ステップにより白表示されており白色粒子８２、黒色粒子８３は移動しない（図９（ｃ））。
これにより、画素２０Ａ、２０Ｂを含む表示部３０の全体が白表示されて画像消去ステップを完了し（図１２（ｆ）〜図１２（ｇ））、画像書込ステップに移行する。
【００９３】
本駆動方法においても、画像書込みステップにおいて共通電極２２に高電位（Ｈ）及び低電位（Ｌ）が入力される期間Ｔ１００をおよそ０．３ｓとしているのに対して、画像消去ステップにおいて共通電極２２に高電位（Ｈ）及び低電位（Ｌ）が入力される期間Ｔ１をおよそ０．１ｓとしている。すなわち、画像消去ステップにおける書込みレベルを画像書込みステップと比べて弱くなるようにしている。これにより、画像消去ステップでの画素への書込みでは、白色粒子８２、黒色粒子８３が完全には画素電極２１と共通電極２２とに移動しきっていない状態になるので、残像を生じさせることはほとんどない。
これは、画像消去ステップにおける画像表示が前画像の残像を消去するためのものであり、白色粒子８２と黒色粒子８３とを十分に撹拌することを目的としているからである。また、この撹拌により各粒子の動きがスムーズになり、画像書込みステップにおいて書き込まれる画像を鮮明に表示することができる。さらに、消去ステップで画素の表示が明確な黒、白とならないので、より混色して見えやすくフラッシングを生じにくい方法となっている。
本駆動方法では、画像消去ステップにおいて共通電極２２に高電位（Ｈ）及び低電位（Ｌ）が入力される期間Ｔ１を、概ね画像書込みステップにおいて共通電極２２に高電位（Ｈ）及び低電位（Ｌ）が入力される期間Ｔ１００の１／３程度にしているが、Ｔ１はこれに限定されるものではなく、Ｔ１００の１／２以下であれば、残像の発生を抑制しつつ確実な消去動作を行える。
【００９４】
本駆動方法では、１つの走査線４０に属する一群の画素２０からなる第１の領域２１１と第２の領域２１２とを微小領域の基本単位としているが、これに限定するものではない。隣接する第１の領域２１１と第２の領域２１２の色が混色して肉眼でグレー表示として認識される範囲内であれば、複数本の走査線４０に属する一群の画素２０からなる領域を第１の領域２１１と第２の領域２１２との基本単位とすることができる。
また第１、第２、及び第３の消去ステップにおいて、共通電極２２に入力されるパルスを１周期分としたが、複数周期分入力されてもよい。
そして、第１、第２の消去ステップの繰り返し回数をさらに増やしてもよい。これにより、白色粒子８２、黒色粒子８３をより撹拌することができるので、さらに残像の生じにくい消去を行うことができる。
【００９５】
このような駆動方法によれば、以下の効果を得ることができる。
第１の領域２１１と第２の領域２１２とを微小領域の基本単位としているので、第１の領域２１１及び第２の領域２１２を交互に反転表示しても、隣接する第１の領域２１１と第２の領域２１２とが混色されてグレー表示と視認される。したがって消去動作時に、使用者には常にグレー表示に見えるので、フラッシングの生じない消去動作を実現できる。また、第１の消去ステップと第２の消去ステップとを行うことで表示が反転して、白色粒子８２と黒色粒子８３とが撹拌されるので、残像をなくし表示品質を向上することができる。
【００９６】
画像データを画素２０に入力するときに、１本の走査線４０に属する画素２０には同一の画素データを入力するので、すべてのデータ線５０の電位を同一にすればよい。したがって、画像消去ステップにおけるデータ線５０の電位制御に係る負荷を低減することができる。
【００９７】
本実施形態では、第１の駆動方法で説明した「コモン振り」による駆動方法を説明したが、第１の駆動方法の変形例で示したように、低電位（Ｌ）と高電位（Ｈ）とのほぼ中間の電位である中電位（Ｍ）を共通電極２２に入力する駆動方法を採用することができる。この場合のタイミングチャートは図１０と同様である。
【００９８】
［電子機器］
ここでは本発明の電気泳動表示装置を、電子機器に適用した場合について説明する。図１３は電子ペーパー３００の構成を示す斜視図である。電子ペーパー３００は、本発明の電気泳動表示装置を表示領域３０１として備えている。電子ペーパー３００は可撓性を有し、従来の紙と同様の質感及び柔軟性を有する書き換え可能なシートからなる本体３０２を備えて構成されている。
【００９９】
また、図１４は、電子ノート４００の構成を示す斜視図である。電子ノート４００は、図１３で示した電子ペーパー３００が複数枚束ねられ、カバー４０１に挟まれているものである。カバー４０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１００】
電子ペーパー３００、及び電子ノート４００に本発明の電気泳動表示装置を備えることで、表示書き替え時のフラッシングを低減した電子ペーパー３００、及び電子ノート４００とすることができる。また、残像をなくし表示品質を向上した電子ペーパー３００、及び電子ノート４００とすることができる。
【０１０１】
これらの他に、時計、携帯電話、携帯用オーディオ機器などの電子機器の表示領域に、本発明の電気泳動表示装置を採用することができる。
これにより、表示書き替え時のフラッシングを低減した電子機器とすることができる。また、残像をなくし表示品質を向上した電子機器とすることができる。
【図面の簡単な説明】
【０１０２】
【図１】電気泳動表示装置１の模式平面図である。
【図２】画素２０の回路構成図である。
【図３】画素１２０の回路構成を示す図である。
【図４】表示部３０の部分断面図である。
【図５】マイクロカプセル８０の断面模式図である。
【図６】マイクロカプセル８０の動作説明図である。
【図７】第１の駆動方法の画像消去に係る表示パターンを示す図である。
【図８】第１の駆動方法のタイミングチャート図である。
【図９】画像消去ステップにおける電気泳動粒子の運動態様を示す図である。
【図１０】変形例に係るタイミングチャートを示す図である。
【図１１】第２の駆動方法の画像消去に係る表示パターンを示す図である。
【図１２】第３の駆動方法の画像消去に係る表示パターンを示す図である。
【図１３】電子ペーパー３００の斜視図である。
【図１４】電子ノート４００の斜視図である。
【図１５】従来例における残像の発生を示す図である。
【図１６】従来例の画像消去に係る表示パターンを示す図である。
【図１７】従来例の画像消去に係る電気泳動粒子の運動態様を示す図である。
【符号の説明】
【０１０３】
１…電気泳動表示装置、２０…画素、２０Ａ…画素、２０Ｂ…画素、２１…画素電極、２１Ａ…画素電極、２１Ｂ…画素電極、２２…共通電極、２３…電気泳動素子、２４…スイッチング素子、２５…容量、３０…表示部、４０…走査線、５０…データ線、６０…走査線駆動回路（制御部）、７０…データ線駆動回路（制御部）、８０…マイクロカプセル、８２…白色粒子（電気泳動粒子）、８３…黒色粒子（電気泳動粒子）、１２０…画素、１２５…ラッチ回路、１５７…低電位電源線、１５８…高電位電源線、２０１…第１の領域、２０２…第２の領域、２１１…第１の領域、２１２…第２の領域
【図１】
0005157322.tif 000002
【図２】
0005157322.tif 000003
【図３】
0005157322.tif 000004
【図４】
0005157322.tif 000005
【図５】
0005157322.tif 000006
【図６】
0005157322.tif 000007
【図７】
0005157322.tif 000008
【図８】
0005157322.tif 000009
【図９】
0005157322.tif 000010
【図１０】
0005157322.tif 000011
【図１１】
0005157322.tif 000012
【図１２】
0005157322.tif 000013
【図１３】
0005157322.tif 000014
【図１４】
0005157322.tif 000015
【図１５】
0005157322.tif 000016
【図１６】
0005157322.tif 000017
【図１７】
0005157322.tif 000018